【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
指定されたＷｅｂページにアクセスし、当該Ｗｅｂページのコンテンツ情報を取得することが可能なコンテンツ取得手段と、
録画する放送プログラムに関連付けされた関連Ｗｅｂページが存在するか否かを確認する確認手段と、
前記放送プログラムの放映中、前記放送プログラムのデータを録画装置に出力する出力手段と、
前記関連Ｗｅｂページが存在すると前記確認手段によって確認された場合、前記コンテンツ取得手段を用いて前記関連Ｗｅｂページのコンテンツ情報を取得し、前記放送プログラムと対応付けて蓄積手段に蓄積する制御手段と、を有し、
前記制御手段は、前記出力手段が前記放送プログラムのデータを前記録画装置に出力している間に、前記放送プログラムの前記関連Ｗｅｂページが更新されたか否かを前記確認手段を用いて判定し、前記関連Ｗｅｂページが更新されたと判定した場合には、当該更新された関連Ｗｅｂページのコンテンツ情報を前記コンテンツ取得手段を用いて取得して、前記放送プログラムと対応付けて前記蓄積手段に蓄積することを特徴とするコンテンツ格納制御装置。
【請求項２】
前記録画装置が前記蓄積手段を兼ねるとともに、前記制御手段が、前記関連Ｗｅｂページのコンテンツ情報を前記放送プログラムのデータに多重化して前記録画装置へ出力するように前記出力手段を制御することを特徴とする請求項１記載のコンテンツ格納制御装置。
【請求項３】
前記録画装置から、録画済みの放送プログラムのデータを取得する録画番組データ取得手段と、
前記取得した録画済みの放送プログラムのデータを用いて前記放送プログラムを再生し、表示装置へ出力する再生手段と、
前記蓄積手段から、前記再生手段が再生している放送プログラムに対応付けられた関連Ｗｅｂページのコンテンツ情報を読み出し、当該コンテンツ情報から前記関連Ｗｅｂページを前記表示装置へ出力するＷｅｂページ出力手段とをさらに有することを特徴とする請求項１又は請求項２に記載のコンテンツ格納制御装置。
【請求項４】
前記制御手段は、前記再生手段が再生している放送プログラムに対応付けられた関連Ｗｅｂページのコンテンツ情報が前記蓄積手段に存在する場合、
前記蓄積手段に蓄積された関連Ｗｅｂページのコンテンツ情報から前記関連Ｗｅｂページを出力するか、
当該関連Ｗｅｂページのアドレス情報を用いて、前記コンテンツ取得手段で前記関連Ｗｅｂページのコンテンツ情報を取得し、当該取得した関連Ｗｅｂページのコンテンツ情報から前記関連Ｗｅｂページを出力するか、
を、ユーザに選択させることを特徴とする請求項３に記載のコンテンツ格納制御装置。
【請求項５】
前記制御手段は、前記再生手段が再生している放送プログラムに対応付けられた関連Ｗｅｂページのコンテンツ情報が前記蓄積手段に複数存在する場合、前記再生手段が再生している前記放送プログラムの先頭からの経過時間と、前記複数のコンテンツ情報が蓄積されたタイミングとから、前記複数のコンテンツ情報のうち前記経過時間に最も近く、かつ前記経過時間よりも前の時間に対応するタイミングで蓄積されたコンテンツ情報を選択して前記Ｗｅｂページ出力手段に出力させることを特徴とする請求項３又は請求項４に記載のコンテンツ格納制御装置。
【請求項６】
指定されたＷｅｂページにアクセスし、当該Ｗｅｂページのコンテンツ情報を取得することが可能なコンテンツ取得手段と、
録画する放送プログラムに関連付けされた関連Ｗｅｂページが存在するか否かを確認する確認手段と、
前記放送プログラムの放映中、前記放送プログラムのデータを録画装置に出力する出力手段と、を有するコンテンツ格納制御装置の制御方法であって、
前記関連Ｗｅｂページが存在すると前記確認手段によって確認された場合、制御手段が、前記コンテンツ取得手段を用いて前記関連Ｗｅｂページのコンテンツ情報を取得し、前記放送プログラムと対応付けて蓄積部に蓄積する制御工程と、を有し、
前記制御工程において前記制御手段は、前記出力手段が前記放送プログラムのデータを録画装置に出力している間に、前記放送プログラムの前記関連Ｗｅｂページが更新されたか否かを前記確認手段を用いて判定し、前記関連Ｗｅｂページが更新されたと判定した場合には、当該更新された関連Ｗｅｂページのコンテンツ情報を前記コンテンツ取得手段を用いて取得して、前記放送プログラムと対応付けて前記蓄積部に蓄積することを特徴とするコンテンツ格納制御装置の制御方法。
【請求項７】
前記録画装置が前記蓄積部を兼ねるとともに、前記制御工程において前記制御手段が、前記関連Ｗｅｂページのコンテンツ情報を前記放送プログラムのデータに多重化して前記録画装置へ出力するように前記出力手段を制御することを特徴とする請求項６記載のコンテンツ格納制御装置の制御方法。
【請求項８】
前記コンテンツ格納制御装置がさらに、前記録画装置から、録画済みの放送プログラムのデータを取得する録画番組データ取得手段と、
前記取得したデータを用いて前記放送プログラムを再生し、表示装置へ出力する再生手段とを有し、
前記コンテンツ格納制御装置の制御方法がさらに、
Ｗｅｂページ出力手段が、前記蓄積部から、前記再生手段が再生している放送プログラムに対応付けられた関連Ｗｅｂページのコンテンツ情報を読み出し、当該コンテンツ情報から前記関連Ｗｅｂページを前記表示装置へ出力するＷｅｂページ出力工程を有することを特徴とする請求項６又は請求項７に記載のコンテンツ格納制御装置の制御方法。
【請求項９】
前記制御工程で前記制御手段は、前記再生手段が再生している放送プログラムに対応付けられた関連Ｗｅｂページのコンテンツ情報が前記蓄積部に存在する場合、
前記蓄積部に蓄積された関連Ｗｅｂページのコンテンツ情報から前記関連Ｗｅｂページを出力するか、
当該関連Ｗｅｂページのアドレス情報を用いて、前記コンテンツ取得手段で前記関連Ｗｅｂページのコンテンツ情報を取得し、当該取得した関連Ｗｅｂページのコンテンツ情報から前記関連Ｗｅｂページを出力するか、
を、ユーザに選択させることを特徴とする請求項８に記載のコンテンツ格納制御装置の制御方法。
【請求項１０】
前記制御工程で前記制御手段は、前記再生手段が再生している放送プログラムに対応付けられた関連Ｗｅｂページのコンテンツ情報が前記蓄積部に複数存在する場合、前記再生手段が再生している前記放送プログラムの先頭からの経過時間と、前記複数のコンテンツ情報が蓄積されたタイミングとから、前記複数のコンテンツ情報のうち前記経過時間に最も近く、かつ前記経過時間よりも前の時間に対応するタイミングで蓄積されたコンテンツ情報を選択して前記Ｗｅｂページ出力手段に出力させることを特徴とする請求項８又は請求項９に記載のコンテンツ格納制御装置の制御方法。
【手続補正２】
【補正対象書類名】明細書
【補正対象項目名】００１２
【補正方法】変更
【補正の内容】
【００１２】
上述の目的は、指定されたＷｅｂページにアクセスし、当該Ｗｅｂページのコンテンツ情報を取得することが可能なコンテンツ取得手段と、録画する放送プログラムに関連付けされた関連Ｗｅｂページが存在するか否かを確認する確認手段と、放送プログラムの放映中、放送プログラムのデータを録画装置に出力する出力手段と、関連Ｗｅｂページが存在すると確認手段によって確認された場合、コンテンツ取得手段を用いて関連Ｗｅｂページのコンテンツ情報を取得し、放送プログラムと対応付けて蓄積手段に蓄積する制御手段と、を有し、制御手段は、出力手段が放送プログラムのデータを録画装置に出力している間に、放送プログラムの関連Ｗｅｂページが更新されたか否かを確認手段を用いて判定し、関連Ｗｅｂページが更新されたと判定した場合には、当該更新された関連Ｗｅｂページのコンテンツ情報をコンテンツ取得手段を用いて取得して、放送プログラムと対応付けて蓄積手段に蓄積することを特徴とするコンテンツ格納制御装置によって達成される。
【手続補正３】
【補正対象書類名】明細書
【補正対象項目名】００１３
【補正方法】変更
【補正の内容】
【００１３】
また、上述の目的は、指定されたＷｅｂページにアクセスし、当該Ｗｅｂページのコンテンツ情報を取得することが可能なコンテンツ取得手段と、録画する放送プログラムに関連付けされた関連Ｗｅｂページが存在するか否かを確認する確認手段と、放送プログラムの放映中、放送プログラムのデータを録画装置に出力する出力手段と、を有するコンテンツ格納制御装置の制御方法であって、関連Ｗｅｂページが存在すると確認手段によって確認された場合、制御手段が、コンテンツ取得手段を用いて関連Ｗｅｂページのコンテンツ情報を取得し、放送プログラムと対応付けて蓄積部に蓄積する制御工程と、を有し、制御工程において制御手段は、出力手段が放送プログラムのデータを録画装置に出力している間に、放送プログラムの関連Ｗｅｂページが更新されたか否かを確認手段を用いて判定し、関連Ｗｅｂページが更新されたと判定した場合には、当該更新された関連Ｗｅｂページのコンテンツ情報をコンテンツ取得手段を用いて取得して、放送プログラムと対応付けて蓄積部に蓄積することを特徴とするコンテンツ格納制御装置の制御方法によっても達成される。